(57)【特許請求の範囲】
【請求項１】
少なくとも１つ以上のコンテンツを形成する、所定のサイズを有するパケットデータを複数個含み第１の再生速度で再生される第１のトランスポートストリームから当該コンテンツを前記第１の再生速度で再生させるための第１の伝送速度とは異なる第２の伝送速度で送信するための第２のトランスポートストリームを生成し、前記第２のトランスポートストリームから当該コンテンツを形成する複数のパケットデータを抽出して蓄積する蓄積型データ放送サービスシステムであって、
前記コンテンツを形成する複数のパケットデータのそれぞれに前記第１の再生速度で再生する際の再生時刻情報を付与して生成した第３のトランスポートストリームを所定の大きさのパケットとなるように分割することで、前記第２のトランスポートストリームを生成するトランスポートストリーム再フォーマット手段を備え、前記第２のトランスポートストリームを送信する送信機と、
前記送信された第２のトランスポートストリームを受信して、前記再生時刻情報に基づいて、前記第２のトランスポートストリームを再生する受信機とを備える蓄積型データ放送サービスシステム。
【請求項２】
前記トランスポートストリーム再フォーマット手段は、前記第３のトランスポートストリームを、前記第２のトランスポートストリームのパケットデータのデータ領域に格納させるデータエンコード手段をさらに備える、請求項１に記載の蓄積型データ放送サービスシステム。
【請求項３】
前記トランスポートストリームのパケットデータ中に、Ｉピクチャ、Ｐピクチャ、およびＢピクチャの少なくとも１つが含まれる場合、当該パケットデータ毎に付与される前記再生時刻情報にはピクチャ情報が付与されることを特徴とする、請求項１または請求項２に記載の蓄積型データ放送サービスシステム。
【請求項４】
前記ピクチャ情報から、予め指定されたピクチャだけを含むパケットデータをフィルタリングするピクチャフィルタ手段をさらに備え、当該フィルタリングされたパケットデータがＡＶデコーダに転送されることを特徴とする、請求項３に記載の蓄積型データ放送サービスシステム。
【発明の詳細な説明】
【０００１】
【発明の属する技術分野】
本発明は、デジタル放送等に用いられる蓄積型データ放送サービスシステムに関し、さらに詳述すれば、作成時に設定された標準伝送速度と異なる伝送速度で送信されたデジタル圧縮映像音声データを受信側で正しく記録および復号できる蓄積型データ放送システムに関する。
【０００２】
【従来の技術】
近年、画像のデジタル圧縮符号化技術を用いた放送コンテンツの蓄積型デジタル放送サービスが実用化段階を迎えている。この蓄積型デジタル放送サービスにおいては、放送局等のコンテンツサプライヤは、放送コンテンツをデジタル圧縮映像音声データをユーザに放送配信する。ユーザ側では放送配信されるデジタル圧縮映像音声データをデジタルストレージメディアにいったん蓄積しておき、後ほど同ストレージメディアから読み出し、デジタル圧縮画像復元装置を用いてコンテンツを再生して視聴に供する。
【０００３】
以下に、図４、図５、および図６を参照して、従来の蓄積型データ放送システムについて説明する。図４に示すように、従来の蓄積型データ放送システムに用いられるデータ送信装置ＴＭｃは、データエンコーダ８、ビデオエンコーダ１０、オーディオエンコーダ１２、トランスポートストリーム多重器１４、スクランブラ１６、変調器１８、および送信器２０を含む。
【０００４】
データエンコーダ８は、外部のデータ信号源（図示せず）から入力されるデータ信号ＳＤをエンコードしてデータパケットＰ（Ｄ）を生成する。ビデオエンコーダ１０は、外部のビデオ信号源（図示せず）から入力されるビデオ信号ＳＶをエンコードしてビデオパケットＰ（Ｖ）を生成する。オーディオエンコーダ１２は、外部のオーディオ信号源（図示せず）から入力されるオーディオ信号ＳＡをエンコードして、オーディオパケットＰ（Ａ）を生成する。
【０００５】
なお、データ信号ＳＤ、ビデオ信号ＳＶ、およびオーディオ信号ＳＡは、１つの番組或いはチャンネルに、それぞれ１組ずつ入力される。１つの番組或いはチャンネルを構成するデータ信号ＳＤ、ビデオ信号ＳＶ、およびオーディオ信号ＳＡをソース信号ＳＳと総称する。よって、複数の番組を含むトランスポートストリームを構成するには、ソース信号ＳＳも複数入力される必要がある。また、入力されるソース信号ＳＳの数に応じて、データエンコーダ８、ビデオエンコーダ１０、およびオーディオエンコーダ１２も１組ずつ用意される。なお、本明細書においては、冗長度を避けるために、１組のソース信号ＳＳが入力される場合の構成を示している。
【０００６】
トランスポートストリーム多重器１４は、データエンコーダ８、ビデオエンコーダ１０、およびオーディオエンコーダ１２からそれぞれ入力されるデータパケットＰ（Ｄ）、ビデオパケットＰ（Ｖ）、およびオーディオパケットＰ（Ａ）を多重化して、トランスポートストリームＴＳを生成する。
【０００７】
スクランブラ１６は、トランスポートストリーム多重器１４から入力されるトランスポートストリームＴＳをスクランブルして、スクランブル化トランスポートストリームＴＳｓを生成する。
【０００８】
変調器１８は、スクランブラ１６から入力されるスクランブル化トランスポートストリームＴＳｓを伝送路に適した形態に変調して、変調トランスポートストリームＴＳｍを生成する。送信器２０は、変調器１８から入力される変調トランスポートストリームＴＳｍを例えば無線周波数電波に変換して、トランスポートストリーム波ＴＳｒｆを生成して送信する。
【０００９】
図５に、従来の蓄積型データ放送システムに用いられるデータ受信装置ＲＶｃを示す。データ受信装置ＲＶｃは、チューナ１０２、復調器１０４、デスクランブラ１０６、ＰＩＤフィルタ１０８、パーシャル処理器１１０、タイムスタンプ付与器１１２、データ蓄積器１１４、再生タイミング制御器１１６、ＰＩＤフィルタ１１８、およびＡＶデコーダ１２０を含む。
【００１０】
チューナ１０２は、データ送信装置ＴＭｃの送信器２０から送信されたトランスポートストリーム波ＴＳｒｆを受信して、変調トランスポートストリームＴＳｍを再生する。復調器１０４は、チューナ１０２から入力される変調トランスポートストリームＴＳｍを復調して、スクランブル化トランスポートストリームＴＳｓを再生する。デスクランブラ１０６は、復調器１０４から入力されるスクランブル化トランスポートストリームＴＳｓをデスクランブルして、トランスポートストリームＴＳを再生する。
【００１１】
ＰＩＤフィルタ１０８は、デスクランブラ１０６から入力されるトランスポートストリームＴＳを構成するパケットの内で、特定の種類或いは番組を構成するパケット群ＴＳｐ’をパケット識別子（ＰＩＤ）に基づいて抽出する。パーシャル処理器１１０は、ＰＩＤフィルタ１０８で抽出されたパケット群からパーシャルトランスポートストリームＴＳｐを生成する。
【００１２】
タイムスタンプ付与器１１２は、パーシャル処理器１１０から入力されるパーシャルトランスポートストリームＴＳｐを構成するパケット毎にタイムスタンプＳｔを付与して、タイムスタンプ付パーシャルトランスポートストリームＴＳｓｔを生成する。
【００１３】
データ蓄積器１１４は、タイムスタンプ付与器１１２から入力されるタイムスタンプ付パーシャルトランスポートストリームＴＳｓｔを、ハードディスク等の記録媒体に格納する。データ蓄積器１１４は、さらに、ユーザの要求に応じて、格納されたタイムスタンプ付パーシャルトランスポートストリームＴＳｓｔを読み出す。
【００１４】
再生タイミング制御器１１６は、データ蓄積器１１４から入力されるタイムスタンプ付パーシャルトランスポートストリームＴＳｓｔに含まれるパケットが、それぞれに付与されたタイムスタンプＳｔに基づいて再生されるように制御する。結果、パーシャルトランスポートストリームＴＳｐが再生される。なお、この再生されたパーシャルトランスポートストリームＴＳｐをパーシャル処理器１１０で生成されたパーシャルトランスポートストリームＴＳｐと識別するために、Ｔｓｐｒと表すものとする。
【００１５】
ＰＩＤフィルタ１１８は、パケット識別子（ＰＩＤ）に基づいて、パーシャルトランスポートストリームＴＳｐｒに含まれるオーディオパケットＰ（Ａ）およびビデオパケットＰ（Ｖ）を抽出する。
【００１６】
ＡＶデコーダ１２０は、ＰＩＤフィルタ１１８から入力されるオーディオパケットＰ（Ａ）およびビデオパケットＰ（Ｖ）をデコードして、ＡＶ信号Ｓａｖを生成する。
【００１７】
図６を参照して、上述のデータ受信装置ＲＶｃにおけるパーシャル処理、タイムスタンプ付与処理、および再生タイミング制御処理について重点的に説明する。同図において、第１段目にはデスクランブラ１０６から出力されるトランスポートストリームＴＳを示し、第２段目にはパーシャル処理器１１０から出力されるパーシャルトランスポートストリームＴＳｐを示し、第３段目にはタイムスタンプ付与器１１２から出力されるタイムスタンプ付パーシャルトランスポートストリームＴＳｓｔを示し、そして第４段目には再生タイミング制御器１１６から出力されるパーシャルトランスポートストリームＴＳｐｒを示す。
【００１８】
トランスポートストリームＴＳは、所定の数αの番組を構成するオーディオパケットＰ（Ａ）と、ビデオパケットＰ（Ｖ）と、データパケットＰ（Ｄ）とを含む。なお、同図において、矩形のそれそれがパケットを表し、パケット中の「Ａ」はオーディオパケットを表し、「Ｖ」はビデオパケットを表し、そして「Ｄ」はデータパケットを表す。
【００１９】
また、「Ａ」、「Ｖ」、および「Ｄ」の後の括弧内の数字は、それぞれのパケットが構成する番組を表す識別子である。なお、パケットＡ（１）、Ａ（２）・・・、Ａ（α）、Ｖ（１）、Ｖ（２）、・・・、Ｄ（１）、Ｄ（２）、・・・、およびＤ（α）をそれぞれ、オーディオパケットＰ（Ａ１）、Ｐ（Ａ２）、・・・Ｐ（Ａα）、Ｐ（Ｖ１）、Ｐ（Ｖ２）、・・・、Ｐ（Ｖα）、Ｐ（Ｄ１）、Ｐ（Ｄ２）、・・・、およびＰ（Ｄα）と表現するものとする。図６においては、認識の便宜上、各パケットが離間しているように表現されているが、実際はパケットは互いに連続している。
【００２０】
トランスポートストリームＴＳにおいて、第１の番組を構成するオーディオパケットＰ（Ａ１）、ビデオパケットＰ（Ｖ１）、データパケットＰ（Ｄ１）、およびオーディオパケットＰ（Ａ１）は、それぞれ時刻ｔ１、ｔ２、ｔ３、およびｔ４に配信される。このようなトランスポートストリームＴＳに関して、時刻ｔ１〜ｔ４の期間における処理について考える。
【００２１】
ＰＩＤフィルタ１０８において、トランスポートストリームＴＳに含まれる全パケットの内で、第１の番組を構成するパケットＰ（Ａ１）、Ｐ（Ｖ１）、Ｐ（Ｄ１）およびＰ（Ａ１）がそれぞれ時刻ｔ１、ｔ２、ｔ３、およびｔ４に抽出される。結果、番組１を構成するパケットのみを含むパーシャルトランスポートストリームＴＳｐが生成される。
【００２２】
タイムスタンプ付与器１１２は、パケットＰ（Ａ１）、Ｐ（Ｖ１）、Ｐ（Ｄ１）およびＰ（Ａ１）のそれぞれの配信時刻ｔ１、ｔ２、ｔ３、およびｔ４を表すタイムスタンプＳｔを生成する。タイムスタンプ付与器１１２はさらに、生成したタイムスタンプＳｔを対応するパケットの先頭に付与して、タイムスタンプ付パーシャルトランスポートストリームＴＳｓｔを生成する。なお、タイムスタンプ付パーシャルトランスポートストリームＴＳｓｔにおいては、タイムスタンプＳｔが付与されたパケットＰ（Ａ１）、Ｐ（Ｖ１）、Ｐ（Ｄ１）およびＰ（Ａ１）は、連続して接続される。
【００２３】
前述のように、データ蓄積器１１４は、タイムスタンプ付パーシャルトランスポートストリームＴＳｓｔを格納すると共に、ユーザの要求に応じて格納されたタイムスタンプ付パーシャルトランスポートストリームＴＳｓｔを読み出す。この場合、再生タイミング制御器１１６は、データ蓄積器１１４から読み出したタイムスタンプ付パーシャルトランスポートストリームＴＳｓｔの各パケットの先頭に付与されたタイムスタンプＳｔに基づいて、対応するパケットを再生すべきタイミングで再生する。
【００２４】
つまり、オーディオパケットＰ（Ａ１）は、時刻ｔ１に対応する時刻に再生される。ビデオパケットＰ（Ｖ１）は、時刻ｔ２に対応する時刻に再生される。データパケットＰ（Ｄ１）は、時刻ｔ３に対応する時刻に再生される。そして、オーディオパケットＰ（Ａ１）は、時刻ｔ４に対応する時刻に再生される。
【００２５】
このように、従来の蓄積型データ放送システムにおいては、複数の番組のパケットが多重化されているトランスポートストリームＴＳから特定の番組のパケットのみを抽出して生成されたパーシャルトランスポートストリームＴＳｐを再生すべき時刻情報（タイムスタンプ）を付してタイプスタンプ付パーシャルトランスストリームＴＳＳＴとして記録する。そして、記録されたタイプスタンプ付パーシャルトランスストリームＴＳＳＴを読み出すと共に、付与されたタイムスタンプＳｔに基づくことによって各パケットデータを再生する。
【００２６】
【発明が解決しようとする課題】
しかしながら、近年の蓄積型デジタル放送サービスにおいては、伝送路関連のリソースの有効利用を図るために、伝送路の能力と使用占有率との関係に応じてトランスポートストリームＴＳが制作された時のそれぞれの番組を構成するパケットを、本来とは異なるビットストリーム伝送速度によって送出する必要がある。つまり、低速或いは混雑した伝送路においては、トランスポートストリームＴＳを本来より低いビットストリーム伝送速度で送信する。低速或いは可占有率が低い伝送路においては、低伝送速度であっても、伝送時間を長くすることによって大容量のトランスポートストリームＴＳを送受信して蓄積できる。
【００２７】
一方、高速或いは伝送路を全て占有できる場合には、トランスポートストリームＴＳを本来よりも高いビットストリーム伝送速度で送信することによって、伝送路の使用時間を短くできる。このような蓄積型デジタル放送サービスにおいて、パケットの配信された時刻情報（タイムスタンプＳｔ）は、当該パケットの正しい再生時刻を示すものではない。
【００２８】
また、放送中のパケットエレメンタリーストリームが蓄積される。そのために、蓄積するコンテンツがファイル形式のデータと、ストリーム形式の映音像から構成される場合には、形式の違いにより蓄積時間の同期や管理が複雑になる。
【００２９】
よって、本発明は、トランスポートストリームＴＳを本来のビットストリーム伝送速度と異なるビットストリーム伝送速度で配信しても、それに含まれるパケットを本来の再生時刻に正しく再生できる蓄積型データ放送システムを提供することを目的とする。さらに、本発明は、映音像およびデータから構成されるコンテンツも蓄積時間の同期や管理が容易に行える蓄積型データ放送システムを提供することを目的とする。
【００３０】
【課題を解決するための手段および発明の効果】
本発明は、上記のような目的を達成するために、以下に述べるような特徴を有している。
第１の発明は、少なくとも１つ以上のコンテンツを形成する、所定のサイズを有するパケットデータを複数個含み第１の再生速度で再生される第１のトランスポートストリームからコンテンツを第１の再生速度で再生させるための第１の伝送速度とは異なる第２の伝送速度で送信するための第２のトランスポートストリームを生成し、第２のトランスポートストリームからコンテンツを形成する複数のパケットデータを抽出して蓄積する蓄積型データ放送サービスシステムであって、
コンテンツを形成する複数のパケットデータのそれぞれに第１の再生速度で再生する際の再生時刻情報を付与して生成した第３のトランスポートストリームを所定の大きさのパケットとなるように分割することで、第２のトランスポートストリームを生成するトランスポートストリーム再フォーマット手段を備え、第２のトランスポートストリームを送信する送信機と、
送信された第２のトランスポートストリームを受信して、再生時刻情報に基づいて、第２のトランスポートストリームを再生する受信機とを備える蓄積型データ放送サービスシステムである。
【００３１】
上述のように、第１の発明においては、コンテンツの再生速度と異なる伝送速度で配信されるトランスポートストリームを蓄積した後に、当該コンテンツを正しい速度で再生できる。
【００３３】
第２の発明は、第１の発明において、トランスポートストリーム再フォーマット手段は、第３のトランスポートストリームを、第２のトランスポートストリームのパケットデータのデータ領域に格納させるデータエンコード手段をさらに備える。
【００３４】
第３の発明は、第１または第２の発明において、トランスポートストリームのパケットデータ中に、Ｉピクチャ、Ｐピクチャ、およびＢピクチャの少なくとも１つが含まれる場合、パケットデータ毎に付与される再生時刻情報にはピクチャ情報が付与されることを特徴とする。
【００３５】
上述のように、第３の発明においては、受信機側で受信したパケットデータをデコードしなくても、当該パケットデータに含まれているピクチャの種類をしることができる。
【００３６】
第４の発明は、第３の発明において、ピクチャ情報から、予め指定されたピクチャだけを含むパケットデータをフィルタリングするピクチャフィルタ手段をさらに備え、フィルタリングされたパケットデータがＡＶデコーダに転送されることを特徴とする。
【００３７】
上述のように、第４の発明においては、ピクチャ情報に基づいて特殊再生ができる。
【００３８】
【発明の実施の形態】
先ず本発明の実施の形態にかかる蓄積型データ放送システムの基本的概念について説明する。本発明においては、従来のように受信機側で各パケットの配信時刻に基づいて再生時刻を示すタイムスタンプを付与するのではなく、送信機側で予め各パケットに正しい再生時刻示すタイムスタンプを付与することによって、トランスポートストリームの伝送レートに関係なく、受信機側で正しく再生できるようにするものである。
【００３９】
以下に、図１、図２、および図３を参照して、本発明の実施の形態にかかる蓄積型データ放送システムについて説明する。図１に、本実施の形態にかかる蓄積型データ放送システムに用いられるデータ送信装置ＴＭＲを示す。データ送信装置ＴＭＲは、図４を参照して説明した従来のデータ送信装置ＴＭｃに、ストリームリフォーマッタＲＦＭが新たに追加された構成を有している。冗長度を避けるために、以下に本発明に固有のストリームリフォーマッタＲＦＭについて重点的に説明する。
【００４０】
ストリームリフォーマッタＲＦＭは、パーシャル処理器２、タイムスタンプ付与器４、およびデータエンコーダ６を含む。パーシャル処理器２は外部のトランスポートストリーム源（図示せず）から供給されるトランスポートストリームＴＳＩを構成するパケット群から特定のパケットのみを抽出してパーシャルトランスポートストリームＴＳＰを生成する。
【００４１】
このトランスポートストリームＴＳＩは、前述のソース信号ＳＳと同様に、データ送信装置ＴＭＲで生成されるトランスポートストリームＴＳに多重化されるコンテンツを含むものである。なお、トランスポートストリームＴＳＩに含まれるパケットは、再生速度と同一の伝送速度でストリームリフォーマッタＲＦＭに入力される。
【００４２】
タイムスタンプ付与器４は、パーシャル処理器２から入力されるパーシャルトランスポートストリームＴＳＰを構成するパケット毎にタイムスタンプＳｔを付与して、タイムスタンプ付パーシャルトランスポートストリームＴＳＳＴを生成する。なお、このタイムスタンプＳｔは、パーシャルトランスポートストリームＴＳＰを構成する各パケットの間隔が保たれるように再生されるべき時刻を表す情報である。
【００４３】
データエンコーダ６は、タイムスタンプ付与器４から入力されるタイムスタンプ付パーシャルトランスポートストリームＴＳＳＴを、エンコードして、トランスポートストリームＴＳＯを生成する。つまり、ストリームリフォーマッタＲＦＭは、入力されるトランスポートストリームＴＳＩにタイムスタンプＳｔを付与した後に、再度トランスポートストリームＴＳＯにフォーマットし直すのである。
【００４４】
トランスポートストリーム多重器１４は、ストリームリフォーマッタＲＦＭから入力されるトランスポートストリームＴＳＯとデータエンコーダ８から入力されるデータパケットＰ（Ｄ）、ビデオエンコーダ１０から入力されるビデオパケットＰ（Ｖ）、およびオーディオエンコーダ１２から入力されるオーディオパケットＰ（Ａ）を多重化してトランスポートストリームＴＳを生成する。
生成されたトランスポートストリームＴＳは、スクランブラ１６、変調器１８、および送信器２０を経て、トランスポートストリーム波ＴＳｒｆとして、データ送信装置ＴＭＲから送信される。
【００４５】
図２に、本発明の蓄積型データ放送システムに用いられるデータ受信装置ＲＶＲを示す。データ受信装置ＲＶＲは、図５を参照して既述のデータ受信装置ＲＶｃにおいてパーシャル処理器１１０とタイムスタンプ付与器１１２とを、パーシャルトランスポートストリーム再構成器１１３で置き換えた構成を有している。
【００４６】
データ送信装置ＴＭＲから送信されたトランスポートストリーム波ＴＳｒｆは、チューナ１０２、復調器１０４、およびデスクランブラ１０６を経て、トランスポートストリームＴＳに再生される。ＰＩＤフィルタ１０８は、デスクランブラ１０６から入力されるトランスポートストリームＴＳを構成するパケットの内で、上述の特定の種類或いは番組を構成するパケット群ＴＳＯ’をパケット識別子（ＰＩＤ）に基づいて抽出する。
【００４７】
パーシャルトランスポートストリーム再構成器１１３は、ＰＩＤフィルタ１０８から逐次入力されるパケット群ＴＳＯ’を保持して、パーシャルトランスポートストリームＴＳＯを再構成する。
【００４８】
データ蓄積器１１４は、パーシャルトランスポートストリーム再構成器１１３から入力されるパーシャルトランスポートストリームＴＳＯを格納すると共に、要求に応じて読み出す。
【００４９】
再生タイミング制御器１１６は、データ蓄積器１１４から入力されるパーシャルトランスポートストリームＴＳＯのパケットに含まれるタイムスタンプＳｔに基づいて、前述のパーシャルトランスポートストリームＴＳＰを構成するパケットが、それぞれ本来再生されるべき時刻（タイミング）に再生されるように制御する。結果、パーシャルトランスポートストリームＴＳＰが再生される。
【００５０】
ＰＩＤフィルタ１１８は、パケット識別子（ＰＩＤ）に基づいて、パーシャルトランスポートストリームＴＳＰに含まれるオーディオパケットＰ（Ａ）およびビデオパケットＰ（Ｖ）を抽出する。
【００５１】
ＡＶデコーダ１２０は、ＰＩＤフィルタ１１８から入力されるオーディオパケットＰ（Ａ）およびビデオパケットＰ（Ｖ）をデコードして、ＡＶ信号Ｓａｖを生成する。
【００５２】
図３を参照して、上述のデータ受信装置ＲＶＲのストリームリフォーマッタＲＦＭにおけるトランスポートストリームＴＳＩの再フォーマット処理について説明する。同図において、第１段目にはストリームリフォーマッタＲＦＭのパーシャル処理器２に入力されるトランスポートストリームＴＳＩを示し、第２段目にはパーシャル処理器２から出力されるパーシャルトランスポートストリームＴＳＰを示し、第３段目にはタイムスタンプ付与器４から出力されるタイムスタンプ付パーシャルトランスポートストリームＴＳＳＴを示し、そして第４段目にはデータエンコーダ６から出力されるトランスポートストリームＴＳＯを示す。
【００５３】
トランスポートストリームＴＳＩは、上述のトランスポートストリームＴＳと同様に、所定の数βの番組を構成するオーディオパケットＰ（Ａ）と、ビデオパケットＰ（Ｖ）と、データパケットＰ（Ｄ）とを含む。同図において、矩形のそれそれがパケットを表し、パケット中の「Ａ」はオーディオパケットを表し、「Ｖ」はビデオパケットを表し、そして「Ｄ」はデータパケットを表す。
【００５４】
また、「Ａ」、「Ｖ」、および「Ｄ」の後の括弧内の数字は、それぞれのパケットが構成する番組を表す識別子である。なお、パケットＡ（１）、Ａ（２）・・・、Ａ（β）、Ｖ（１）、Ｖ（２）、・・・、Ｄ（１）、Ｄ（２）、・・・、およびＤ（β）をそれぞれ、オーディオパケットＰ（Ａ１）、Ｐ（Ａ２）、・・・Ｐ（Ａβ）、ビデオパケットＰ（Ｖ１）、Ｐ（Ｖ２）、・・・、Ｐ（Ｖβ）、データパケットＰ（Ｄ１）、Ｐ（Ｄ２）、・・・、およびＰ（Ｄβ）と表現するものとする。なお、認識の便宜上、各パケットが離間しているように表現されているが、実際はパケットは互いに連続している。また、所定数βは、前記所定数αと同じであってもよい。
【００５５】
パーシャルトランスポートストリームＴＳＰにおいて、第１の番組を構成するオーディオパケットＰ（Ａ１）、ビデオパケットＰ（Ｖ１）、データパケットＰ（Ｄ１）、およびオーディオパケットＰ（Ａ１）は、それぞれ時刻ｔ１、ｔ２、ｔ３、およびｔ４に配信される。つまり、時刻ｔ１、ｔ２、ｔ３、およびｔ４は、パケットＰ（Ａ１）、Ｐ（Ｖ１）、Ｐ（Ｄ１）、およびＰ（Ａ１）が再生されるべきタイミングを指示している。この点については、上述のトランスポートストリームＴＳにおけるのと同様である。このようなトランスポートストリームＴＳにおいて、時刻ｔ１〜ｔ４の期間における処理について考える。
【００５６】
パーシャル処理器２において、トランスポートストリームＴＳＩに含まれる全パケットの内で、第１の番組を構成するパケットＰ（Ａ１）、Ｐ（Ｖ１）、Ｐ（Ｄ１）およびＰ（Ａ１）がそれぞれ時刻ｔ１、ｔ２、ｔ３、およびｔ４に抽出される。結果、番組１を構成するパケットのみを含むパーシャルトランスポートストリームＴＳＰが生成される。
【００５７】
タイムスタンプ付与器４は、パケットＰ（Ａ１）、Ｐ（Ｖ１）、Ｐ（Ｄ１）およびＰ（Ａ１）のそれぞれの配信時刻ｔ１、ｔ２、ｔ３、およびｔ４を表すタイムスタンプＳｔを生成して、対応するパケットの先頭に付与して、タイムスタンプ付パーシャルトランスポートストリームＴＳＳＴを生成する。なお、タイムスタンプ付パーシャルトランスポートストリームＴＳＳＴにおいては、タイムスタンプＳｔが付与されたパケットＰ（Ａ１）、Ｐ（Ｖ１）、Ｐ（Ｄ１）およびＰ（Ａ１）は連続して接続される。
【００５８】
このように、タイムスタンプ付パーシャルトランスストリームＴＳＳＴにおけるパケットには、それぞれその先頭にタイムスタンプＳｔが付与されているので、パケットサイズが１タイムスタンプＳｔと１パケットとの和になり、規格上定められたトランスポートストリームのパケットサイズと異なる。このような規格外のデータ構造（パケットサイズ）を有するタイムスタンプ付パーシャルトランスストリームＴＳＳＴをデータ送信装置ＴＭＲから送信すると、データ受信装置ＲＶＲ側で受信したタイムスタンプ付パーシャルトランスストリームＴＳＳＴを正しく解析できない。
【００５９】
そのために、データエンコーダ６によって、この規格外のデータ構造を有するタイムスタンプ付パーシャルトランスストリームＴＳＳＴをエンコードして、規格に従うデータ構造（パケットサイズ）を有するようにトランスポートストリームＴＳＯに再フォーマットする。つまり、データエンコーダ６は、タイムスタンプ付パーシャルトランスストリームＴＳＳＴの各タイムスタンプＳｔ付パケットからそれぞれ２つの規格に合致したサイズのパケットを生成する。
【００６０】
このような、オーディオパケットＰ（Ａ１）から生成される２つのパケットを配列される順番から、オーディオパケットＰ（Ａ１）ａとオーディオパケットＰ（Ａ１）ｂと称する。同様に、ビデオパケットＰ（Ｖ１）からはビデオパケットＰ（Ｖ１）ａおよびビデオパケットＰ（Ｖ１）ｂが生成され、データパケットＰ（Ｄ１）からはデータパケットＰ（Ｄ１）ａおよびデータパケットＰ（Ｄ１）ｂが生成される。
【００６１】
本例においては、オーディオパケットＰ（Ａ１）ａ、ビデオパケットＰ（Ｖ１）ａ、およびデータパケットＰ（Ｄ１）ａは、それぞれ、先頭からパケットヘッダＰＨ、セクションヘッダＳＨ、およびデータ領域ＤＡを含む。オーディオパケットＰ（Ａ１）ｂ、ビデオパケットＰ（Ｖ１）ｂ、およびデータパケットＰ（Ｄ１）ｂは、それぞれ、先頭からパケットヘッダＰＨ、データ領域ＤＡ、およびヌルデータ領域ＮＬを含む
【００６２】
具体的には、データエンコーダ６は、タイムスタンプＳｔ付オーディオパケットＰ（Ａ１）のタイムスタンプＳｔとオーディオパケットＰ（Ａ１）の先頭側の一部分を、トランスポートストリームＴＳＯの最初のオーディオパケットＰ（Ａ１）ａのデータ領域ＤＡに格納させると共に、パケットヘッダＰＨおよびセクションヘッダＳＨを生成する。そして、データエンコーダ６は、当該オーディオパケットＰ（Ａ１）の残りの部分を、次のオーディオパケットＰ（Ａ１）ｂのデータ領域ＤＡに格納させると共に、パケットヘッダＰＨを生成する。
【００６３】
つまり、オーディオパケットＰ（Ａ１）の再生時刻を示すタイムスタンプＳｔは、オーディオパケットＰ（Ａ１）ａのデータ領域ＤＡに格納される。そして、オーディオパケットＰ（Ａ１）ａのパケットヘッダＰＨおよびセクションヘッダＳＨに、オーディオパケットＰ（Ａ）１ａに関する管理情報が格納される。同様に、オーディオパケットＰ（Ａ１）ｂのパケットヘッダＰＨにオーディオパケットＰ（Ａ１）ｂの管理情報が格納される。このように、トランスポートストリームＴＳＯにおいて、トランスポートストリームＴＳＩに含まれるオーディオデータがファイルとして管理される。
【００６４】
同様に、データエンコーダ６は、タイムスタンプＳｔ付ビデオパケットＰ（Ｖ１）のタイムスタンプＳｔとビデオパケットＰ（Ｖ１）の先頭側の一部分を、ビデオパケットＰ（Ｖ１）ａのデータ領域ＤＡに格納させると共に、パケットヘッダＰＨおよびセクションヘッダＳＨを生成する。そして、データエンコーダ６は、当該ビデオパケットＰ（Ｖ１）の残りの部分を、次のビデオパケットＰ（Ｖ１）ｂのデータ領域ＤＡに格納させると共に、パケットヘッダＰＨを生成する。
【００６５】
つまり、ビデオパケットＰ（Ｖ１）の再生時刻（タイミング）を示すタイムスタンプＳｔは、ビデオパケットＰ（Ｖ１）ａのデータ領域ＤＡに格納される。そして、ビデオパケットＰ（Ｖ１）ａのパケットヘッダＰＨおよびセクションヘッダＳＨに、ビデオパケットＰ（Ｖ１）ａの管理情報が格納される。同様に、ビデオパケットＰ（Ｖ１）ｂのパケットヘッダＰＨに、ビデオパケットＰ（Ｖ１）ｂの管理情報が格納される。このように、トランスポートストリームＴＳＯにおいて、トランスポートストリームＴＳＩに含まれるビデオデータがファィルとして管理される。
【００６６】
さらに同様に、データエンコーダ６は、タイムスタンプＳｔ付データパケットＰ（Ｄ１）のタイムスタンプＳｔとデータパケットＰ（Ｄ１）の先頭側の一部分を、データパケットＰ（Ｄ１）ａのデータ領域ＤＡに格納させると共に、パケットヘッダＰＨおよびセクションヘッダＳＨを生成する。そして、データエンコーダ６は、当該タイムスタンプＳｔ付データパケットＰ（Ｄ１）の残りの部分を、次のデータパケットＰ（Ｄ１）ｂのデータ領域ＤＡに格納させると共に、パケットヘッダＰＨを生成する。
【００６７】
つまり、データパケットＰ（Ｄ１）の再生時刻を示すタイムスタンプＳｔは、データパケットＰ（Ｄ１）ａのデータ領域ＤＡに格納される。そして、データパケットＰ（Ｄ１）ａのパケットヘッダＰＨおよびセクションヘッダＳＨに、データパケットＰ（Ｄ１）ａに関する管理情報が格納される。同様に、データパケットＰ（Ｄ１）ｂのパケットヘッダＰＨに、データパケットＰ（Ｄ１）ｂの管理情報が格納される。このように、トランスポートストリームＴＳＯにおいて、トランスポートストリームＴＳＩに含まれるデータがファィルとして管理される。
【００６８】
このように、トランスポートストリームＴＳＩを構成する全パケットデータの再生時刻情報（タイムスタンプＳｔ）を含む、規格に適合したデータ構造を有するトランスポートストリームＴＳＯが生成される。ヌルデータ領域ＮＬには、タイムスタンプ付パーシャルトランスストリームＴＳＳＴの次のパケットを格納してもよい。
【００６９】
トランスポートストリーム多重器１４は、ストリームリフォーマッタＲＦＭ、データエンコーダ８、ビデオエンコーダ１０、およびオーディオエンコーダ１２からそれぞれ入力されるトランスポートストリームＴＳＯ、データパケットＰ（Ｄ）、ビデオパケットＰ（Ｖ）、およびオーディオパケットＰ（Ａ）を多重化して、トランスポートストリームＴＳを生成する。以降、スクランブラ１６、変調器１８、および送信器２０を経て、トランスポートストリーム波ＴＳｒｆが送信される。
【００７０】
データ受信装置ＲＶＲにおいて、チューナ１０２、復調器１０４、およびデスクランブラ１０６を経て、トランスポートストリームＴＳが再生される。
ＰＩＤフィルタ１０８は、デスクランブラ１０６から入力されるトランスポートストリームＴＳを構成するパケットの内で、前述のトランスポートストリームＴＳＯを構成するパケット群ＴＳＯ’（図３の例では、Ｐ（Ａ１）ａ、Ｐ（Ａ１）ｂ、Ｐ（Ｖ１）ａ、Ｐ（Ｖ１）ｂ、Ｐ（Ｄ１）ａ、Ｐ（Ｄ１）ｂ、・・・）をパケット識別子（ＰＩＤ）に基づいて抽出する。
【００７１】
パーシャルトランスポートストリーム再構成器１１３は、ＰＩＤフィルタ１０８から入力されるパケット群ＴＳＯ’を保持して、データ領域ＤＡ部分をつなぎ合わすことで、トランスポートストリームＴＳＯを再構成する。
【００７２】
データ蓄積器１１４は、パーシャルトランスポートストリーム再構成器１１３から入力されるトランスポートストリームＴＳＯをハードディスク等の記録媒体に格納する。データ蓄積器１１４は、さらに、ユーザの要求に応じて、格納されたトランスポートストリームＴＳＯを読み出す。
【００７３】
再生タイミング制御器１１６は、データ蓄積器１１４から入力されるトランスポートストリームＴＳＯのパケットのデータ領域ＤＡに含まれる再生時刻情報（タイムスタンプＳｔ）に基づいて、当該パーシャルトランスポートストリームＴＳＰを構成するパケット（図３の例では、Ｐ（Ａ１）、Ｐ（Ｖ１）、Ｐ（Ｄ１）、・・・）を送信側で設定された時刻に再生されるように制御する。以降、ＰＩＤフィルタ１１８およびＡＶデコーダ１２０を経て、トランスポートストリームＴＳＯからＡＶ信号Ｓａｖが生成される。
【００７４】
なお、本実施の形態においては、トランスポートストリームＴＳＩに含まれるパケットが再生速度と同一の伝送速度でストリームリフォーマッタＲＦＭに入力される場合について述べた。しかしながら、トランスポートストリームＴＳＩに含まれるパケットの再生速度（再生時刻）が予め分かっていれば、タイムスタンプ付与器４において、その既知の再生速度に対応してタイムスタンプＳｔを付与すればよい。この場合、トランスポートストリームＴＳＩをそのパケットと再生速度と同一の伝送速度でストリームリフォーマッタＲＦＭに入力する必要ない。
【００７５】
また、トランスポートストリームＴＳＯにおいては、タイプスタンプ付パーシャルトランスストリームＴＳＳＴのタイムスタンプＳｔとパケットとの和を２つ以外のパケットで構成してもよい。例えば、ヌルデータ領域ＮＬを設けずに、連続するパケットのデータ領域ＤＡに、順番にタイプスタンプ付パーシャルトランスストリームＴＳＳＴのタイムスタンプＳｔとパケットデータを格納するようにしてもよい。
【００７６】
このように、本発明においては、トランスポートストリームＴＳのパケットの再生時刻を示すタイムスタンプＳｔを付与して、当該トランスポートストリームＴＳを再エンコードしたトランスポートストリームＴＳＯが当該トランスポートストリームＴＳの再生速度と異なる速度で送信される。受信装置側では、ランスポートストリームＴＳＯを受信された速度で蓄積した後に、トランスポートストリームＴＳの正しい再生速度で再生できる。また、ＡＶデータをパーシャルトランスポートストリームとして、ファイル形式のデータと同じフォーマットに変換しておくことによって、受信装置側でもＡＶデータをファイルとして蓄積管理できる。
【００７７】
なお、パケットデータ中にＩピクチャ、Ｐピクチャ、およびＢピクチャの何れかが含まれる場合、送信機側でタイムスタンプＳｔの一部にピクチャ情報を付与する。結果、受信機側でＡＶ再生する場合には、パケットデータをデータ蓄積器１１４から読み出して、ＡＶデコーダ１２０に転送し、再生タイミング制御器１１６がパケット毎のタイムスタンプＳｔに付与されているピクチャ情報から、特定のピクチャがふくまれるパケットだけをフィルタリングしてＡＶデコーダに転送することによって、特殊再生が実現できる。
【図面の簡単な説明】
【図１】本発明の実施の形態にかかる蓄積型データ放送システムに用いられるデータ送信装置の構成を模式的に示すブロック図である。
【図２】本発明の実施の形態にかかる蓄積型データ放送システムに用いられるデータ受信装置の構成を模式的に示すブロック図である。
【図３】図１に示すリフォーマッタにおけるトランスポートストリームの再フォーマット処理の説明図である。
【図４】従来の蓄積型データ放送システムに用いられるデータ送信装置の構成を模式的に示すブロック図である。
【図５】従来の蓄積型データ放送システムに用いられるデータ受信装置の構成を模式的に示すブロック図である。
【図６】図５に示すＰＩＤフィルタ、パーシャル処理器、タイムスタンプ付与器、および再生タイミング制御器の動作の説明図である。
【符号の説明】
ＴＭＲ、ＴＭｃ  データ送信装置
ＲＦＭ  ストリームリフォーマッタ
２  パーシャル処理器
４  タイムスタンプ付与器
６  データエンコーダ
８  データエンコーダ
１０  ビデオエンコーダ
１２  オーディオエンコーダ
１４  トランスポートストリーム多重器
１６  スクランブラ
１８  変調器
２０  送信器
ＲＶＲ、ＲＶｃ  データ受信装置
１０２  チューナ
１０４  復調器
１０６  デスクランブラ
１０８  ＰＩＤフィルタ
１１０  パーシャル処理器
１１２  タイムスタンプ付与器
１１３  パーシャルトランスポートストリーム再構成器
１１４  データ蓄積器
１１６  再生タイミング制御器
１１８  ＰＩＤフィルタ
１２０  ＡＶデコーダ
【図１】
0004680444.tif 000002
【図２】
0004680444.tif 000003
【図３】
0004680444.tif 000004
【図４】
0004680444.tif 000005
【図５】
0004680444.tif 000006
【図６】
0004680444.tif 000007